Podtech/llm-jp-corpus-v4-ja_patent huggingface dataset:
(57)【要約】【課題】本発明は、緊急時に最低限必要とされる真水を発電所敷地内に貯蔵する手段を提案する。【解決手段】本発明は、海岸近くに建設された原子力発電所の周囲に設けられるの堤防であって、当該外壁を水密性とし、内部を空洞とし真水を貯蔵した津波防止用の堤防である。内部を複数に区画し、一部が損壊しても使用可能とするとともに、廃棄すべき水の一時貯留場所ともなるようにした。本来必要とする津波防止用の堤防内部を利用することで必要な真水の貯蔵場所を確保した。【選択図】図1
2012246714.tif 000002
【特許請求の範囲】
【請求項１】
海岸近くに建設された原子力発電所の周囲に設けられるの堤防であって、当該外壁を水密性とし、内部を空洞とし真水を貯蔵した津波防止用の堤防。
【発明の詳細な説明】
【技術分野】
【０００１】
本発明は、原子力発電所が地震、津波の被害を受けた場合の緊急用冷却用の水を提供する手段に属する。
【背景技術】
【０００２】
原子力発電所は多量の冷却水を使用する。海水を二次冷却水として使用するため海岸近くに設置される場合が多い。津波等で海水面が下がった場合においても二次冷却水用の海水の取得に対しては特開2000-170138、特開H09-054190 にその対策が示されている。しかし、一次冷却水、使用済み燃料冷却プールには真水を使用する必要がある。テロ・地震等による配管が使用不能と成る場合においても、緊急時に最低限必要とされる真水を発電所敷地内に貯蔵しておく必要性が認識されてきた。非常時に要求される真水の貯蔵場所が要求されるが、発電所、付属施設、その他安全管理のために必要な施設用の用地を差し置いて真水の貯蔵場所を確保することが難しい。かかる施設用の用地を犠牲にすることなく必要な用地を確保する必要がある。
【先行技術文献】
【特許文献】
【０００３】
【特許文献１】特開2000-170138
【特許文献２】特開H09-054190
【発明の概要】
【発明が解決しようとする課題】
【０００４】
本発明は、緊急時に最低限必要とされる真水を発電所敷地内に貯蔵する手段を提案する。
【課題を解決するための手段】
【０００５】
本発明は、海岸近くに建設された原子力発電所の周囲に設けられるの堤防であって、当該外壁を水密性とし、内部を空洞とし真水を貯蔵した津波防止用の堤防である。本来必要とする津波防止用の堤防内部を利用することで必要な真水の貯蔵場所を確保した。
【発明の効果】
【０００６】
真水の貯蔵場所を津波防止用の堤防内部とすることで、敷地の有効活用が図れる。敷地内に貯蔵するため、真水の保守点検も容易にできる。
【図面の簡単な説明】
【０００７】
【図１】は、内部に真水を貯蔵した津波防止用堤防の概念図である。
【発明を実施するための形態】
【０００８】
以下本発明を、図を用いて、より詳細に説明する。
図１は、本発明による内部に真水を貯蔵した津波防止用堤防の概念図である。図１ａに示すように、堤防内は空洞とされ真水が貯蔵されている。
また、図１ｂに示すように、内部は必要に応じて縦横に梁を巡らし堤防の強度を増強することができる。堤防の外壁は水密性コンクリートを使用し、塩水の浸透による真水の汚染の防止、真水の浸透による減少を防止する。
堤防の底部は岩盤を掘り下げその底部から立ち上げ、岩盤と一体化するように形成されることが好ましい。
【０００９】
必要な真水の注入、供給用の配管、弁等必要な付帯設備を設けることはいうまでもないが、かかる付帯設備が必要時使用不能とならないための保護、保守点検用の設備を別途設けることが望ましい。
【００１０】
本津波防止用堤防は、その内部を複数に独立して区画することができる。こうすることで一部損壊しても残りの部分に貯蔵した真水は使用可能となり、必要に応じて排水の一時貯留場所としてその一部を使用することができる。
【産業上の利用可能性】
【００１１】
原子力発電所で要求される一次冷却水用及び使用済み燃料貯蔵プール用の真水を貯蔵できる。
【符号の説明】
【００１２】
１  津波防止用堤防
２  真水貯蔵部
【図１】
2012246714.tif 000003
(57)【要約】      （修正有）【課題】津波を完全に防ぐためには、防波堤は巨大な構造物となり、景観面でも、技術面でも、経済面でも実現が困難である。津波を完全に防ぐのではなく、津波を和らげる防波構造を提供する。【解決手段】陸側の防波堤の海側に、陸側の防波堤から一定の距離だけ離間させ陸側の防波堤よりも高さの低い海側の防波堤を設置する。海側の防波堤の下部には、海側の防波堤を乗り越えてきた海水を海側へ環流するための穴を設ける。【選択図】なし【特許請求の範囲】
【請求項１】
津波を完全に防ぐためではなく、津波の勢いを和らげるための考案であり、防潮堤は６メートルとして海側に５メートルの間隔を置きもう一つの防潮堤をつくる、その下には海水の排水口を設ける。６メートルと４メートルの防潮堤に、５メートル間隔でつなぎの壁を設ける。その下から海水が流れでて海底に押し出される事により津波の潮位が高くなるのを防ぐものである。海から来た海水はうみに返す。以上の考案装置を提供する。
【発明の詳細な説明】
【技術分野】
【０００１】この発明は津波により防潮堤に押し寄せる海水を、海底に戻す事により津波の勢いを和らげる装置である。
【背景技術】
【０００２】従来の防潮堤は単に海水を積止めるだけの装置であり、大津波は簡単に防潮堤ものり超え、また防潮堤も破壊してしまい、防潮堤そのもの自体は既存のままではその効果は皆無に等しい。
【発明の開示】
【発明が解決しようとする問題】
【０００３】大津波に対し現在の防潮堤は２メートルないし３メートルの高さで単にコンクリトにより海水を止めるだけの装置であり、そこで止められて行き場のない海水は次第に膨らんで防波堤を乗り越え、また防波堤も破壊すると言う欠点があった。行き場のない海水を海底に戻す方法を考案した。
【課題と解決するための手段】
【０００４】大津波の際に起きる、海岸近くの海水の膨らみを最小限にして、防波堤に当たる津波の力を和らげる。そのためには膨らんだ海水を津波の影響の少ない海底に海水を送り返してやる。普通の川などでも積止めると水はどんどん膨らんでくる。津波も同じ原理である。単に防波堤を何メートルも高くすると、そこに当たる海水の圧力は増して並大抵の事では防げない。まして海岸近くの人々は海の見えない暮らしには抵抗感もあり無理がある。その問題の解決には膨らんだ海水を速やかに他の所に移動させる。海から押し寄せて来た波は海低に戻す以外方法は無く、その際の装置を提供する。
【発明の効果】
【０００５】津波により海面が膨らみ、防波堤で海水が溜まりさらに押し寄せてくる波により海面は高くなり防波堤を超える。その前に防波堤の手前に５メートル四方で海水溜まりの四角い穴を設ける。その穴は普段の平均海面より４メートル高い所に造り、さらにその上２メートルに既存と同じ防潮堤があり波は突き当り下の穴に吸い込まれる。その吸い込まれた海水は下にある穴より出て、テントのような強力なホースにより１００メトル以上先の海底に流れ出る。津波時の海面であっとも水平面は平時の時と同じで、それより高くなると海の海水と遮断された海水は海底に流れ出る。以上により津波の膨らみは多少でも解消されるものである。問題は１００メトルのテント状のホースは海産物に被害が講じる可能性もあり普段は丸めて置くか、トンボ杭などで海底より浮かせて、何本かに分けて束ねて置く。またテント状のホースは砂や泥の下に埋めても良いが出口だけ海水が出る状態にして置く。津波は海岸近くでは海底も荒れるが深い所は穏やである。また海水溜まりの穴も危険防止のため鉄筋か強力な網等で塞ぎゴミや人、猫、鳥等落ちないようにする必要がある。以上の構成から出来ている防潮堤の提案である。
【発明を実施するためのさいりょうの形態】
【０００６】本発明は大津波の被害をいかに軽減するかであり。防波堤は高さ６メートルにして、次に海側に５メートル離して４メートルの防波堤を別に造り５メートル間隔で壁を造り６メートルと４メートルの防波堤をつなぐ、４メートルの防波堤の下には海水の流れ出る穴を造りその穴からテントにて海水を流す。そのような形態により海水溜まりが出来海水を海底に流す事ができる。海水溜まりの５メートル間隔の桝は普段は危険なので強力な装置で塞ぐのは先に述べたとおりである。または必要のない時には蓋をして置く。他に６メートルの防波堤の裏側には盛土をして、人がいつでも海を見ることが出来るようにする。本発明は以上の構成形態である。
【図面の簡単な説明】
【０００７】
【図１】は▲１▼  街並み▲２▼は６メートルの防潮堤▲３▼は▲２▼と▲６▼をつなぐ５メートルの壁▲４▼は５メートル四方の海水溜まりで海水の溜まった色になっているこの上部には錆びない鉄筋か網によりゴミなどが入ら無いようになっている。▲５▼は津波の断面時。（問題は川の部分であるが、それはトビラか何らかで止める以外ないと思うが、今回の特許申請には含まれていません）。▲６▼は４メートルの２段目の防潮堤。▲７▼は海岸の砂浜。▲８▼は長さ１００メトル以上のテント。設置して海底流し込む。▲９▼は海水の出し口。▲１０▼は海底の海水▲１１▼は強力な網であるこの網は水平である。以上ではあるが▲２▼の下部と▲６▼の上部▲３▼の上部は絵図面の見方にもより高低が有るように見えるが水平であるものとする。
【図１】
2012246754.tif 000002
(57)【要約】【課題】気温が０度以下の時は、水道管が凍結・破損する。その為、多大な被害が出る。これらの問題点を出来るだけ簡単に解決しようとするものである。【解決手段】本発明は、防寒・防水の布地を裁ち面ファスナーを付け、冷気が入らないように作った水道管蛇口破損防止カバーである。【選択図】図１
2012246739.tif 000002
【特許請求の範囲】
【請求項１】
本発明は、防寒・防水布地を裁ち面ファスナーを設けた。蛇口水道管破損防止カバーである。
【発明の詳細な説明】
【技術分野】
【０００１】    本発明は、水道蛇口管破損防止に関するものである。
【背景技術】
【０００２】    気温が０度以下の時は、水道蛇口に接続している水道管が凍結破損する。
【発明の概要】
【発明が解決しようとする課題】
【０００３】    外に設置している水道の場合は、蛇口に接続された水道管が地表でむき出しになっている。このために外気温にさらされて、気温が０度以下のときは、水道管内部の水が凍結して膨張することにより、蛇口の根元や水道管が破裂する。このため多大の被害がでて、多くの人が困っている。
本発明は以上の問題点を解決するものである。
【課題を解決するための手段】
【０００４】    防寒・防水の布地カバーの両側に面ファスナーを設け、布カバーを水道管に巻いて被覆し、布カバーの両側を面ファスナーで止める。
【発明の効果】
【０００５】  本発明は、水道の蛇口管全体を簡単にスッポリ包み、凍結破損を防止するものである。
【図面の簡単な説明】
【０００６】
【図１】本発明の平面図
【図２】本発明の使用状態を示す斜視図
【発明を実施するための形態】
【０００７】    以下、本発明の実施の形態を説明する。
（イ）発明は水道管を被覆する程度の広さを有する防寒防水材質からなる布カバー（１）      であり、左右が対象となる略長形状からなる。
（ロ）布カバー（１）の両側左右対称位置に面ファスナーの雄片（２ａ）と面ファスナー      の雌片（２ｂ）を設ける。
（ハ）布カバー（１）の中央に折り畳み線（３）を設ける。
本発明を使用するときは、水道管に布カバーを当てて折り畳み線（３）より内側に折り畳んで蛇口と水道管の根元を被覆し、面ファスナーの雄片（２ａ）と雌片（２ｂ）を止めて、蛇口及び水道管を覆い固定する。
【符号の説明】
【０００８】    １布カバー、２面ファスナー、３折り畳み線
【図１】
2012246739.tif 000003
【図２】
2012246739.tif 000004
(57)【要約】【課題】  木造建築では、近年、地震に強いとされる金物工法が急激に増えています。この金物の中に建物の倒壊を防ぐため、基礎から直接結合するホールダウン金物が有ります。この金物を取り付ける為に、アンカーボルトを中心に基礎の４方向へ印しを記入し、ホールダウン金物を取り付けていますが、基礎内に空気を循環させるため、基礎パッキンを配置している事が多く、基礎に記入した印しが見えにくくなり、ホールダウン金物の印しと合わせにくく正確性に取り付ける事が難しかった。【解決手段】ホールダウン金物用台座に、中央４か所に線を記入又は彫り込みをし、ボルトに当らず基礎に設置出来るよう中央に３０ｍｍの穴を空けたホールダウン用台座を利用することにより、迅速かつ正確にホールダウン金物を設置することが出来る。【選択図】図１
2012246741.tif 000002
【特許請求の範囲】
【請求項１】
標準土台サイズに合わせ１０５ｍｍ１２０ｍｍの２種類のサイズに芯の印しを付けた事を特徴とし
【請求項２】
上記４点定規は、中央部に突起物（ボルト）を避けるため３０ｍｍの穴を空けた事を特徴とする。
【発明の詳細な説明】
【技術分野】
【０００１】この発明は、ホールダウン金物の下に敷く台座に関する。
【背景技術】
【０００２】木造金物工法の建築において、図２に示すように基礎部分中央へホールダウンアンカーボルトが有り、基礎パッキン２０ｍｍを敷いて、その上にホールダウン金物を取り付ける為、この基礎の芯位置へ印しを付け、基礎パッキンを取り付けホールダウン金物の印しと基礎の印しを合わせ取り付けをしている。
【発明の概要】
【発明が解決しようとする課題】
【０００３】しかしながら、上記の取り付けの場合、基礎パッキンが有る為、基礎の印しが見えにくく、正確に取り付けが出来ないという問題が有りました。
そこでこの発明は、基礎パッキン（ホールダウン金物用台座）が有っても迅速かつ正確にホールダウン金物を取り付ける事を課題とする。
【課題を解決するための手段】
【０００４】以上の課題を解決するために、（図１）の台座は中央に３０ｍｍの穴を空けアンカーボルトが当らないようにし、又台座に芯位置へ印しを付ける。
※木造建築は土台のサイズが１０５ｍｍ又は１２０ｍｍが主体なのでこの２種類のサイズで作成
【発明の効果】
【０００５】この発明によって基礎の芯へ印しを付ける作業が無くなり、台座を置くだけでホールダウン金物を正確に取り付けが出来る。
【図面の簡単な説明】
【０００６】
【図１】この発明のホールダウン金物用台座を示す。
【図２】基礎部分、ホールダウン金物用台座の納まりを示す。
【発明を実施するための形態】
【０００７】この発明の実施形態を図１に示す。
このホールダウン金物用台座は金属又はプラスチックで作成され、芯の印しが４本入っている。
中央には突起物（ボルト）等が有っても基礎に重ねられるように３０ｍｍ穴をあけている。
線はインク又は彫り込みで記入し、木造建築の土台標準サイズ１０５ｍｍと１２０ｍｍの２種類のサイズとする。
※サイズ変更により標準土台サイズ以外にも対応可能
【実施例】
【０００８】土台設置の基準線が記入された基礎に合わせ、ホールダウン金物用台座を載せその上に、ホールダウン金物の印しとホールダウン用台座の印しを合わせナットで締めつけ取り付ける。
【符号の説明】
【０００９】１、芯線
２、３０ｍｍ穴
３、基礎
４、土台基準線
５、ホールダウン金物用台座
６、ホールダウン金物
７、アンカーボルト
８、芯位置の印し
【図１】
2012246741.tif 000003
【図２】
2012246741.tif 000004
(57)【要約】【課題】オイル吐出低減、騒音低減できる密閉型圧縮機を提供すること。【解決手段】本発明の密閉型圧縮機は、密閉容器１内に、電動機部２と圧縮機構部３を備え、圧縮機構部３は、バルブカバー１１、軸受け、シリンダ６及びピストン８を有する密閉型圧縮機であって、バルブカバー１１の表面には、互いに大きさの異なる複数のくぼみ１２が形成されている。これにより、冷媒ガスとオイルの分離を促進してオイル吐出量を低減すると同時に、騒音低減を実現することができる。【選択図】図２
2012246890.tif 000002
【特許請求の範囲】
【請求項１】
密閉容器内に電動機部と圧縮機構部とを備え、前記圧縮機構部は、バルブカバー、軸受け、シリンダ及びピストンを有する密閉型圧縮機であって、前記バルブカバーの表面には、互いに大きさの異なる複数のくぼみが形成されている密閉型圧縮機。
【発明の詳細な説明】
【技術分野】
【０００１】
本発明は、冷凍機、空調機、乾燥機などに使用される密閉型圧縮機のオイル吐出低減、騒音低減技術に関するものである。
【背景技術】
【０００２】
従来、この種の密閉型圧縮機のバルブカバーは、シリンダから吐出される霧状の冷凍機油を含んだ冷媒ガスからオイルを分離するため、また、シリンダ内から発生する音を低減するために、軸受に取り付けられている。バルブカバー１１は、図３に示すように、表面に凹凸がない形状である（特許文献１参照）。
【先行技術文献】
【特許文献】
【０００３】
【特許文献１】特開２００５−１１３７９１号公報
【発明の概要】
【発明が解決しようとする課題】
【０００４】
しかしながら、特許文献１に記載の従来の構成では、バルブカバーの表面には凹凸がないために表面積が少なく、オイルと冷媒ガスとを十分に分離することが出来ないという課題を有していた。また、表面がフラットなため音の反射も単一なため騒音低減効果も少ないという課題を有していた。
【０００５】
本発明は、前記従来の課題を解決するもので、オイル吐出低減、騒音低減した密閉型圧縮機を提供することを目的とする。
【課題を解決するための手段】
【０００６】
前記従来の課題を解決するために、本発明の密閉型圧縮機は、密閉容器内に、電動機部と圧縮機構部を備え、前記圧縮機構部は、バルブカバー、軸受け、シリンダ及びピストンを有し、前記バルブカバーの表面に、互いに大きさの異なる複数のくぼみを設けている。
【発明の効果】
【０００７】
本発明によれば、バルブカバー表面に多数の大きさの異なるくぼみを設けることで、バルブカバーの表面積を増加させ冷凍機油が付着し易くしオイルの分離を促進することができる。また、多数のくぼみでシリンダ内から発生する音を多方向に反射させることにより低騒音化させることができる。
【図面の簡単な説明】
【０００８】
【図１】実施の形態１に係る密閉型圧縮機の断面図
【図２】実施の形態１に係る密閉型圧縮機のバルブカバーの外観図
【図３】従来の密閉型圧縮機の圧縮機構要部の断面図
【発明を実施するための形態】
【０００９】
本発明の密閉型圧縮機は、密閉容器内に、電動機部と圧縮機構部を備え、前記圧縮機構部は、バルブカバー、軸受け、シリンダ及びピストンを有し、前記バルブカバーの表面に、互いに大きさの異なる複数のくぼみを設けることにより、バルブカバーの表面積を増加させ冷凍機油が付着し易くし冷凍機油の分離を促進し、また、多数のくぼみでシリンダ内から発生する音を多方向に反射させることにより低騒音化を実現する。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における密閉型圧縮機の断面図である。図２は、実施の形態１に係る密閉型圧縮機のバルブカバーの外観図である。
【００１２】
図１において圧縮機は、電動機部２と圧縮機構部３と密閉容器１内に収納している。
圧縮機構部３は、シリンダ６と、クランク軸４と、クランク軸４の偏心部に回転自在に嵌合されてシリンダ６内部で偏心回転するピストン８と、シリンダ６のベーン溝に配置されてピストン８に先端を接しながらベーン溝を往復運動するベーンと、シリンダ６、ピストン８、ベーンを挟み込むように設置された上軸受５、下軸受７と、バルブカバー１１とを有している。
【００１３】
バルブカバー１１の表面に複数の大きさの異なるくぼみ１２を設けることで、バルブカバー１１の表面積を増加させ冷凍機油が付着し易くし冷凍機油の分離を促進し、また、複数のくぼみ１２でシリンダ内から発生する音を多方向に反射させることにより低騒音化ができる。なお、図２は、バルブカバー１１を圧縮機構部３側から見た外観図であり、くぼみ１２は、凸状に示されている。
【産業上の利用可能性】
【００１４】
以上のように、本発明にかかる密閉型圧縮機は、簡単な方法で、オイル吐出低減、騒音低減させることが可能となるので、ヒートポンプ等にも適用できる。
【符号の説明】
【００１５】
１  密閉容器
２  電動機部
３  圧縮機構部
４  クランク軸
５  上軸受
６  シリンダ
７  下軸受
８  ピストン
１１  バルブカバー
１２  くぼみ
【図２】
2012246890.tif 000003
【図３】
2012246890.tif 000004
【図１】
2012246890.tif 000005
(57)【要約】      （修正有）【課題】自然エネルギー（風力・太陽）を同時に取込んで、小型一体型発電機により安全、低価格な電力を得る。【解決手段】縦型４枚羽風車発電機と太陽光発電フィルムと接電端子で構成されます。【選択図】図１
2012246912.tif 000002
【特許請求の範囲】
【請求項１】
風力と太陽光エネルギーを同時にとりこむように、風車の羽に太陽光発電フィルムを貼り付けて、一体型にした発電方法と装置。
【請求項２】
請求項１において、風車の羽根を縦型の回転軸に、４枚９０度の等角度で取付て風圧を受ける羽根と、回転する反対側に位置する羽根の風圧を自動的に風圧で排除しながら風の方向に影響をうけずに回転する風車の方法と装置。
【請求項３】
請求項１〜２において、
請求項１〜２において、風車の羽根、太陽光の発電効率をよくする為に光電変換フイルムを風車の羽根の両面に取り付け、風車の回転により、太陽の位置変動により表と裏の何れからでも自動的にエネルギーを取り入れ換算させる方法と装置。
【請求項４】
請求項１〜３において、
請求項１〜３において、風力と太陽光エネルギーを、より大きく取込むために風車の羽根を外周方向や、縦軸の方向に羽根の段数を増やして大きくしたり、太陽光発電フィルムの面積を大きくして、効率をよくする方法と装置。
【請求項５】
請求項１〜４において、
請求項１〜４において、装置の設置場所および機能による性質を利用して羽の裏面に、動くＬＥＤ電飾広告として使用できる様にした装置。
【発明の詳細な説明】
【発明の詳細な説明】
【産業上の利用分野】
【０００１】本発明は、原子力・火力・水力・や一般の風力発電装置と異なり、危険であり、設備が大型であり、設置場所が大型であり、設置場所が限られなく、建物の屋上であったり、高速道路の分離帯、海岸の防波堤、河川の堤防等、既設の設備の一画に自由に設置する事ができる。
【背景技術】
【０００２】  従来の風車発電は大型の３枚羽のプロペラ式が一般的であり大型であり設置場所が限られているのと、風が吹かないときは発電されない物が主流になっている。
又、太陽光発電は一番的には家屋の屋根の上に南向きに固定されており、取付面積を増やしたり移動したりすることは困難であり、満足な使用にはなり難い。
【発明が解決しようとする課題】
【０００３】本発明は、従来の原子力発電の様な危険性がなく、又、火力発電の様な一酸化炭素、による大気汚染や地球温暖化を防ぎ、クリーンで安心で且つ低コストでなお小型で移動設置が簡単な発電機で電力を作ることを、目的とします。
【課題を解決するための手段】
【０００４】本発明は、従来から一般的に利用されている、技術では解決出来なかった小型で高性能な装置を、風車の羽根の構造と最新の光電変換技術を使用することで可能となった。
【作用】
【０００５】この発明は、一般的な発電装置と比較して、自然エネルギーの利用による、小型で原理的に安全で、簡易に低価格で製作でき、従来の様な大企業でなければ製作が困難な装置と違い、小型で移動・据付も簡単なため、取付場所や景観により大きさや、配置を考慮して供することができる。
【実施例】
【０００６】図１は、この特許の風力・太陽光発電装置の一つの概略説明図である。【０００７】
【図面の簡単な説明】
【０００８】
【図１】この発明の一実施例を示す配置正面と上面と側面図である。
【符号の説明】
【０００９】１            風車羽根取り付け用回転支柱
２            風車羽根取り付け用回転支柱
３            風車回転軸上側軸受け
４            風車羽根受補強網
５            風車羽根「Ｃ」兼、太陽光発電フィルム
６            風車羽根「Ｄ」兼、太陽光発電フィルム
７            風車羽根「Ｃ」兼、太陽光発電フィルム
８            風車外側補強枠
９            風車据付ベース
１０          風車回転軸下側軸受け
１１          太陽光電力接続用スリップリング
１２          太陽光発電力取り出し端子
１３          据付用アンカーボルト
１４          風車の風の流れ
【図１】
2012246912.tif 000003
(57)【要約】【課題】洪水で汚染された住宅などを１回の散布で防腐、防虫、消臭、殺菌、防カビ処理でき、しかも効果が長期間持続する液状組成物を提案する。【解決手段】ｐＨを中性から微酸性に調整したホウ酸塩の高濃度水溶液に１％以下の次亜塩素酸ナトリウムを加える。【選択図】なし【特許請求の範囲】
【請求項１】
ホウ酸換算濃度３パーセント以上のホウ酸塩水溶液に、次亜塩素酸ナトリウム換算濃度１％以下の次亜塩素酸塩を添加し、ｐＨを４．０以上８．０以下に調整することを特徴とする防腐・防虫・防カビ剤
【請求項２】
請求項１において、ホウ酸換算濃度が１０パーセント以上、次亜塩素酸塩濃度が０．５％以下、ｐＨが６．０以上７．５以下に調整された防腐・防虫・防カビ剤
【発明の詳細な説明】
【技術分野】
【０００１】  本発明は防腐、防虫、防カビ、消臭の機能を備えた液状組成物に関する。
【背景技術】
【０００２】  人間の居住環境には、種々の動物性あるいは植物性の材料が使用されている。これらの材料は、適度の湿度、温度下で、腐朽や虫害などの生物劣化を受けやすい欠点がある。また、微生物の繁殖などにより臭気を発生することも多い。これらの生物劣化や臭気を克服する手段として、化学薬品を塗布、散布する方法が広く実施されている。【０００３】  具体的例を挙げれば、動植物性材料を腐朽や虫害から保護する手段として、ホウ酸塩水溶液を散布する技術が上げられる。ホウ酸塩は、天然に産出する鉱物で、哺乳動物に対する毒性は微弱であり、しかも昆虫や腐朽菌に対しては厳しく作用する理想的な防腐・防虫剤として広く使用されている。しかし、カビの繁殖に対する抑止効果は必ずしも満足なものではなく、また、臭気を消す機能は不満足である。【０００４】  大雨や洪水などで住宅が汚れた水に浸かる場合、濡れた建材や家具の表面にはカビや雑菌が繁殖し、臭気を発生する。また、動植物性材料の腐朽やシロアリなどの食害が起こる。住宅を復旧するには、水洗い後、殺菌剤やカビ防除剤を散布し、ついで木質建材を防腐、防虫処理する必要がある。【０００５】  殺菌、カビ防除、防腐、防虫処理を１回の処理で達成できれば、浸水住宅の復旧処理に要する費用や労力を大幅に軽減できる。
【発明の開示】
【発明が解決しようとする課題】
【０００６】  本発明が解決しようとする課題は、住宅などの殺菌、防腐、防虫、防カビ、消臭処理を１回の処理で済ませうる、ホウ酸塩水溶液をベースとした組成物を提供することである。
【課題を解決するための手段】
【０００７】  本発明者らは、鋭意検討の結果、該課題が濃度、ｐＨを限定したホウ酸塩水溶液に次亜塩素酸塩を添加することで解決できることを発見した。【０００８】  第一の本発明は、ホウ酸換算濃度３パーセント以上２５パーセント以下のホウ酸塩水溶液に、次亜塩素酸ナトリウム換算濃度１．０％以下の次亜塩素酸塩を添加し、ｐＨを４．０以上８．０以下に調整することを特徴とする防腐・防虫・防カビ・殺菌・消臭剤である。【０００９】  第二の本発明は、第一の本発明において、ホウ酸換算濃度が１０パーセント以上、次亜塩素酸塩濃度が次亜塩素酸ナトリウム換算で０．５％以下、ｐＨが６．０以上７．５以下に調整された防腐・防虫・防カビ・殺菌・消臭剤である。【００１０】  本発明でいうホウ酸塩とは、主としてホウ酸ナトリウムである。所定の濃度およびｐＨを有するホウ酸ナトリウム溶液を調整するには、ホウ酸（Ｈ３ＢＯ３）と水との混合物を加熱して均一な溶液とした後、苛性ソーダを加えてｐＨを調整すればよい。あるいは、ホウ酸とホウ砂（Ｎａ２Ｂ４Ｏ７・ｎＨ２Ｏ）を所定の比率で混合し、熱水に溶解してもよい。また、水に溶解しやすい八ホウ酸二ナトリウム四水和物（Ｎａ２Ｂ８Ｏ１３・Ｈ２Ｏ）とホウ酸の混合物を温水に溶解しても良い。【００１１】  ホウ酸塩水溶液に次亜塩素酸塩を添加する場合は、所定量の次亜塩素酸ナトリウム水溶液を加えて攪拌すればよい。ホウ酸塩無水溶液は緩衝液と知られ、少量の次亜塩素酸ナトリウムを加えてもｐＨは殆ど変化しない。【００１２】  次亜塩素酸ナトリウムのアルカリ性水溶液は、古くから殺菌剤として使用されているが、ｐＨが中性から弱酸性へと変化するにつれて各種細菌やカビに対する抑制効果が高まることが知られている。これに対し、ホウ酸塩は細菌やカビの繁殖を緩やかではあるが、長期にわたって抑制することが知られている。【００１３】  本発明の防腐・防虫・防カビ・消臭剤は、ｐＨが中性から弱酸性の領域に保たれたホウ酸塩溶液に次亜塩素酸ナトリウムを添加することにより、次亜塩素酸ナトリウムが短時間で細菌やカビを殺し、次いでホウ酸塩が長期にわたり細菌やカビの繁殖を抑制しながら木質材料を腐れやシロアリから保護するものである。
【発明の効果】
【００１４】  本発明の防腐・防虫・防カビ・消臭剤は、比較的安価に入手できるホウ酸ナトリウムと次亜塩素酸ナトリウムを原料として容易に調製できる。また、１回散布するだけで、浸水住宅などの臭気やカビを短時間で除去すると共に、長期にわたって防腐・防虫・防カビ効果が持続するため、洪水や津波で汚染された住宅のクリーニングなどに効果的に使用できる。【００１５】  さらに、本発明の防腐・防虫・防カビ・消臭剤は、住宅の壁や浴室など家庭で発生するカビを簡単に除去できるスプレー剤としても利用できる。
【発明を実施するための最良の形態】
【００１６】  本発明の防腐・防虫・防カビ・消臭剤を調合する場合は、あらかじめ所定のｐＨおよび濃度のホウ酸塩水溶液と次亜塩素酸塩水溶液を別々に調製し、使用直前に両者を混合するのが好ましい。中性、微酸性領域では、活性な次亜塩素酸が徐々に分解するので、調合した防腐・防虫・防カビ・消臭剤は早めに使い切るようにする。あるいは、必要に応じて、再度次亜塩素酸ナトリウムを添加してもよい。【００１７】  本発明を構成する必須条件ではないが、本発明の防腐・防虫・防カビ・消臭剤に酸化剤に対して安定な着色剤や界面活性剤を添加してもよい。
【実施例１】
【００１８】  八ホウ酸二ナトリウム四水和物（Ｕ  Ｓ  Ｂｏｒａｘ社製、商品名Ｔｉｍｂｏｒ）１．４２ｋｇ、ホウ酸０．２１３ｋｇを温水に溶解し、全体を１０Ｌ（リットル）とした。この溶液の濃度は、ホウ酸換算で１８％、比重は１．０６７、ｐＨは６．９であった。【００１９】  この水溶液を攪拌しながら、有効塩素１２％の次亜塩素酸ナトリウム水溶液２５ｇを添加した。次亜塩素酸ナトリウムの濃度は、０．０２８％となり、この組成物は、本発明の防腐・防虫・防カビ・消臭剤に該当する。【００２０】  上記の組成物を市販のスプレーボトルに入れ、生ごみ容器や使用中の猫砂などに噴霧したところ、臭気は瞬間的に消えた。【００２１】  同じ組成物を築後３０余年の住宅の風呂場の壁に生えているカビに噴霧したところ、２時間後には全てのカビは変色し、１週間後には消失した。また、カビを除去した壁面には６ヶ月経過してもカビの再発は見られなかった。【００２２】  同じ組成物をＪＩＳ  Ｋ１５７１：２０１０附属書Ａ（規定）に従い、表面処理用の防腐性能試験および防蟻性能試験に供した。結果を表１および表２に示す。試験結果は、防腐性能、防蟻性能共にＪＩＳ  Ｋ１５７１の規定する性能基準を満足した。
【表１】
2012246283.tif 000002
【表２】
2012246283.tif 000003
(57)【要約】      （修正有）【課題】電気費用をより安価にと考慮して、人間を運搬するついでに上方へ重錘の運搬を行うエレベーターと組み合わせて成る発電装置。【解決手段】所定の場所に重錘を設置し、エレベーターのかごの外部に設けた検知装置２がこれを感知して同時に運搬装置を動作させる。あらかじめ定められた場所に重錘が存在する時、運搬装置は動作をするが所定外の場所に重錘があるときは動作をしないように設定をし、人間の上方への移動とともに重錘も移動して、該かごの停止場所で運搬装置から開放され、下降を開始して発電が行われる。建物または構築物等に設置されたエレベーター１が人間を運搬するついでに発電機６を回転させるための重錘７を高所に運び、該重錘７の重量の加算分により発生する消費電力量と運搬した重錘７の下降によってもたらされる発電量との差を追求する。【選択図】図１
2012246144.tif 000002
【特許請求の範囲】
【請求項１】
発電機を回転させるための重錘を検知する装置または、定められた位置に該重錘の存在が確認されるとき、これを上方に運ぶための装置がエレベーターのかごの適切な場所に設置され、高所に設置をされた発電機とこの重錘がチェーンまたはロープを介して連結されて且つバッテリーに蓄電されて成る発電のシステム。
【発明の詳細な説明】
【技術分野】
【０００１】この発明は発電機を高所に設置をして、そこで発電機を回転させるために使用をする重錘をエレベーターに運搬せしめんとするものである。
【背景技術】
【０００２】建物または構築物等に設置をされたエレベーターの機能を利用して目的を果たしたい。
重錘を上方へ運搬する際の消費電力と重錘の下降によってもたらされる発電量の差をもって本発明の本旨としたい。
【発明の開示】
【発明が解決しようとする課題】
【０００３】電気費用をより安価にと考慮して、人間を運搬するついでに上方へ重錘の運搬を行いたい。
【課題を解決するための手段】
【０００４】先ず所定の場所に重錘を設置し、エレベーターのかごの外部に設けた検知装置がこれを感知して同時に運搬装置を動作させる。
あらかじめ定められた場所に重錘が存在する時、運搬装置は動作をするが所定外の場所に重錘があるときは動作をしないように設定をする。
人間の上方への移動とともに重錘も移動して、該かごの停止場所で運搬装置から開放され、下降を開始して発電が行われる。
【発明の効果】
【０００５】重錘の重量によっては小分けをすることも可能であり、エレベーター自体の使用頻度と能率と能力によって応用の如何を取り計らうことが出来得る。
【発明を実施するための最良の形態】
【０００６】発電機の設置数について任意に選択が可能であり、理想とする台数を設定する。
【実施例】
【０００７】高い効率を求めるためにはある程度の高さが必要なため、設置費用と得られる発電量とのバランスを考慮したい。
【産業上の利用可能性】
【０００８】エレベータの使用される頻度によって設置費用とのバランスを考えたい。
【図面の簡単な説明】
【０００９】
【図１】  概略図
【符号の説明】１    かご            ２    検知装置        ３    運搬装置
４    巻き上げ機      ５    バランサー      ６    発電機
７    重錘            ８    バランサー
【図１】
2012246144.tif 000003
(57)【要約】      （修正有）【課題】従来、男性の小水のときに、肌着を捲り、何枚かを掻き分けながら用をすませたあと、捲り上げたままズボンのチャックを絞めるため、肌着の裾の捲れ上がりが止まらなかった。本発明は、男性の肌着の裾の捲れ上がりを防止すると共に、防寒対策もできるように工夫した肌着を提供する。【解決手段】男性用の肌着１において、肌着の前面の真ん中に切込み２を設け、さらに縫製部３を設け、小水時の捲れ上がりを防止したことを特徴とする。【選択図】図１
2012246593.tif 000002
【特許請求の範囲】
【請求項１】
肌着において、肌着（１）の前面の真ん中に切り込み（２）を設け縫製部（３）を設けたことを特徴とする肌着の改良。
【発明の詳細な説明】
【技術分野】
【０００１】  本発明は、男性の肌着の裾の捲れ上がりを防止すると共に防寒対策もできるように工夫した肌着の改良に関するものである。
【背景技術】
【０００２】  従来、小水のときに、肌着を捲り、何枚かを掻き分けながら用をすませたあと、捲くり上げたまま、ズボンのチャックを絞めるため捲れは止まらなかった。
【発明の概要】
【発明が解決しようとする課題】
【０００３】  そのために、次のような問題点があった。
従来の肌着は、下側が同じ長さで丸くなっていた。
本発明は、これらの問題点を解決するためになされたものである。
【課題を解決するための手段】
【０００５】  肌着において、肌着（１）の前面の真ん中に切り込み（２）を設け、縫製部（３）を設ける。
以上のように構成された肌着の改良である。
【発明の効果】
【０００６】（イ）男性の小水時に捲れが起こらない。
（ロ）男性の小水時にズボンの中での紛らわしい掻き分けの解消。
（ハ）捲れ上がりのシワシワが正面に出ない。
（ニ）捲れが少ないため、冬季の防寒対策になる。
（ホ）肌着の着装時は、ステテコ、またはズボン下を肌着の上に着装すると、さらに効果がある。
（ヘ）何種類の改良肌着を重ね着にしても捲れが出ない。
【図面の簡単な説明】
【０００７】
【図１】  本発明の正面図である。
【図２】  本発明の使用状態を示した正面図である。
【発明を実施するための形態】
【０００８】  本発明の実施の形態について説明する。
肌着において、肌着（１）の前面の真ん中に切り込み（２）を設け縫製部（３）を設ける。
本発明は以上のような構成である。
本発明の使い方を説明する。
【符号の説明】
【０００９】    １  肌着
２  切り込み
３  縫製部
【図１】
2012246593.tif 000003
【図２】
2012246593.tif 000004
(57)【要約】【課題】鉄道車両用制御装置に内蔵される強制風冷式ヒートシンクにおいて、車輛限界などの制約で制御装置を大きく出来ない場合、入気口スペースを大きくする事が困難である。入気口スペースが小さいと、風量が充分確保されず、鉄道車両用制御装置としての性能を損ねる。【解決手段】鉄道車両車体の床下に設置され、半導体素子を実装する冷却ブロックと、該冷却ブロックの半導体素子実装面の対面に冷却フィンを有する強制風冷式ヒートシンクを内蔵する車両用制御装置において、該冷却フィンの上部より通風させる入気口を配置し、前記冷却フィンの上部通風部を該入気口に向かってその一角を面取りすることで入気口スペースを大きくすることでき、風量を充分に確保できる。【選択図】図１
2012178444.tif 000002
【特許請求の範囲】
【請求項１】
鉄道車両車体の床下に設置され、半導体素子を実装する冷却ブロックと、該冷却ブロックの半導体素子実装面の対面に冷却フィンを有する強制風冷式ヒートシンクを内蔵する車両用制御装置において、該冷却フィンの上部より通風させる入気口を配置し、前記冷却フィンの上部通風部を該入気口に向かってその一角を面取りすることで入気口スペースを大きくすることを特徴とする強制風冷式ヒートシンク。
【発明の詳細な説明】
【技術分野】
【０００１】
本発明は、例えば鉄道車両の推進用や補助電源用の電力用半導体モジュール素子を用いたインバータ装置等の電力変換装置に用いられる強制風冷式ヒートシンクに関するものである。
【背景技術】
【０００２】
インバータ装置等で使用される電力用半導体素子は、電流を流しスイッチング動作を行って電力変換する際、理想的なスイッチ動作ではないため発熱を伴い、その温度が上昇する。そのため、半導体素子を冷却用のヒートシンクに取付け放熱し、温度上昇を抑制する必要がある。ここで、車両用の電力変換装置においては、その設置スペースが限られるため、このヒートシンクは極力小型にする必要があり、冷却ファン等を用いて強制的にヒートシンクに風をあてることによって冷却効果を上げて小型化した強制風冷式ヒートシンクが用いられることが多い。
【０００３】
図２は一般的な強制風冷式ヒートシンクの構造例である。直方体に開放された対面方向の２面に冷却風が流れる構造になっている。
【０００４】
図４は図２の強制風冷式ヒートシンクを鉄道車両用制御装置内に設置した例である。大型のヒートシンクをスペースの限られた装置内に配置しているが、強制風冷式ヒートシンクの冷却フィン上部と装置天井部との間隔が少なく風路が直角になっている為、入気口のスペースが小さくなってしまう。図４の例では、冷却フィンの積層高さよりも風路が狭くなり、入気風による圧力損失が増大し、冷却風量低下の要因となる。
【先行技術文献】
【非特許文献】
【０００５】
【非特許文献１】意匠登録第１３８００６４号
【発明の概要】
【発明が解決しようとする課題】
【０００６】
車輛限界などの制約で、図４のように入気口及び制御装置を大きく出来ない場合、強制風冷式ヒートシンクの冷却フィン用風路が直角になっていると、風量が充分確保されず鉄道車両用制御装置としての性能を損ねてしまうという課題がある。
【課題を解決するための手段】
【０００７】
上記の課題を解決するために、請求項１の発明によれば、鉄道車両車体の床下に設置され、半導体素子を実装する冷却ブロックと、該冷却ブロックの半導体素子実装面の対面に冷却フィンを有する強制風冷式ヒートシンクを内蔵する車両用制御装置において、該冷却フィンの上部より通風させる入気口を配置し、前記冷却フィンの上部通風部を該入気口に向かってその一角を面取りすることで入気口スペースを大きくすることを特徴とする。
【０００８】
すなわち、本発明においては半導体素子を実装する冷却ブロックと、当該冷却ブロックの半導体素子実装面の対面に冷却フィン構造を有する強制風冷式ヒートシンクにおいて、前記冷却フィン構造の冷却風入気側の一角を面取構造とすることを行う。
【発明の効果】
【０００９】
本発明によれば、鉄道車両用制御装置の外形を大きくせずに、入気口を大きくする事が可能で、入気風による圧力損失を低減し冷却風量を大きくすることが出来る。また業界の動向として求められている制御装置の小型軽量化の効果も奏する。
【図面の簡単な説明】
【００１０】
【図１】本発明が適用された強制風冷式ヒートシンクの説明図である。
【図２】一般的な強制風冷式ヒートシンクの説明図である。
【図３】本発明が適用された強制風冷式ヒートシンクを内蔵した鉄道車両用制御装置        の断面図である。
【図４】一般的な強制風冷式ヒートシンクを内蔵した鉄道車両用制御装置の断面図である。
【発明を実施するための形態】
【００１１】
強制風冷式ヒートシンクにおいて、前記冷却フィン構造の冷却風入気側の一角を面取構造とする。
【実施例１】
【００１２】
図１から図４において、１を半導体素子、２を半導体素子１が実装される冷却ブロック、３を冷却ブロック２の半導体素子実装面の対面に具備された冷却フィン、４を冷却ブロック２が内蔵され、鉄道車両車体床下部に収納される車両用制御装置、５を車体とする。
【００１３】
図１は、本発明が適用された強制風冷式ヒートシンクの説明図であって、図３は本発明が適用された強制風冷式ヒートシンクを内蔵した鉄道車両用制御装置の断面図である。
制御装置の外形を大きくせずに、入気口スペースが図４よりも約５０％増加出来る構成となっている。
【００１４】
また本発明においては、強制風冷式ヒートシンクの入気口を例に説明したが、冷却風向を反対とし、排気口として使用する場合も風路確保による有利点は自明のものである。
【産業上の利用可能性】
【００１５】
本発明は、強制風冷式ヒートシンクを内蔵する（鉄道車両に限らず）装置の外形を大きくすることなく装置の小型軽量化が出来る。
【符号の説明】
【００１６】
１    半導体素子
２    冷却ブロック
３    冷却フィン
４    車両用制御装置
５    車体
【図１】
2012178444.tif 000003
【図２】
2012178444.tif 000004
【図３】
2012178444.tif 000005
【図４】
2012178444.tif 000006
(57)【要約】【課題】ジュエリーのインターネットショップにおいて、購入者は自由自在にデザイン、貴金属素材、宝石の種類、宝石の品質、彫刻の有無とともに、選択した個別の構成部品によって変わる価格も常に確認できることによって満足度が高まり、販売者はジュエリーのインターネットショップを運営するにあたっての商品種類を可能な限り抑えることのできる、ジュエリーインターネットショップを提供する。【解決手段】ジュエリーのインターネットショップにおいて、購入者がジュエリーのデザインを選択した後、ジュエリーを構成する貴金属素材、宝石、宝石の品質、彫刻の有無を一画面で組み合わせることができ、価格の変動も常に確認出来るジュエリーのインターネットショップ。【選択図】なし【特許請求の範囲】
【請求項１】
ジュエリーのインターネットショップにおいて、購入者がジュエリーのデザインを選択した後、ジュエリーを構成する貴金属素材、宝石、宝石の品質、彫刻の有無を一画面で組み合わせることができ、価格の変動も常に確認出来るジュエリーのインターネットショップ。
【発明の詳細な説明】
【技術分野】
【０００１】
この発明はインターネットを介したジュエリーのショッピングにおいて、購入者がジュエリーのデザイン、素材、宝石、宝石の質を自由自在に組み合わせ、かつ価格を確認しながら購入することのできるジュエリーのインターネットショップに関するものである。
【背景技術】
【０００２】
ジュエリーをインターネットで購入しようとすると、あらかじめデザインや宝石の質が決められたものを購入しなくてはならない。
【０００３】
したがって、多様な購入者の満足を高めることはできないでいる。
【０００４】
また、多様な購入者の多くは自分好みの製品を望んでいるため、こういった購入者の要求に応えるためには、販売者はより多くの製品を用意しておく必要があり負担が大きかった。
【先行技術文献】
【非特許文献】
【０００５】
楽天などのジュエリーショップ
【（非）特許文献１】
【０００６】
楽天などのジュエリーショップ
【発明の概要】
【発明が解決しようとする課題】
【０００７】
この発明は前述した問題点を解決するものであり、購入者も満足でき、販売者の製品種類負担なども軽減できる、ジュエリーのインターネットショップを提供するものである。
【課題を解決するための手段】
【０００８】
以上の課題を解決するため、一つのジュエリーに対して、素材、宝石の種類、宝石の品質などを購入者が自由自在に組み合わせることができるようにした。
【０００９】
この発明では、購入者がジュエリーの枠を構成している貴金属、あるいは金属の素材を自由に選択できる。
【００１０】
この発明では、購入者がジュエリーの枠に入る宝石の種類を自由に選択することができる。
貴金属合金を提供する。
【００１１】
この発明では、購入者がジュエリーの宝石の品質を自由に選択することができる。
【００１２】
この発明では、購入者がジュエリーの枠部分に彫刻を入れることを自由に構成できる。
【発明の効果】
【００１３】
この発明によれば、購入者が自由自在にジュエリーを構成する、貴金属素材、宝石の種類、宝石の品質などを選択でいるようになったことによって、購入者の満足度を高めることができ、販売者の製品種類の増加の負担を軽減できることとなった。
【発明を実施するための形態】
【００１４】
この発明のジュエリーのインターネットショップでは、購入者が気に入ったジュエリーのデザインを選択すると、同じ画面で貴金属素材、宝石の種類、宝石の品質、彫刻の有無などを一画面で選択でき、なおかつ選択したものによって変動する価格も同時に見ることができる。
【００１５】
全ての選択が終了した時点でも途中でも、購入者は自分がどのような製品を選択し、価格がいくらかを知ることができる。
【００１６】
［実施例１］
この発明のジュエリーのインターネットショップは、一般的なインターネットジュエリーショップと同じように多くの商品が選択できるようになっている。
【００１７】
購入者が一つの製品を選択すると画面が製品を構成する素材、宝石、宝石の種類、彫刻の有無などを選択できる画面に移動する。
【００１８】
購入者はその画面で自由に選択し、価格の変動を確認しながら、すべての選択ができたところで購入を決定できるようになっている。
【００１９】
自由自在に商品の組み合わせができることから、購入者の満足度は高いものとなった。
【００２０】
また、販売者は多くの製品在庫を持つ必要がなくなり、在庫負担が大幅に軽減された。
【産業上の利用可能性】
【００２１】
この発明のジュエリーのインターネットショップは、購入者が自由自在に商品を構成できるため、購入者の満足度を高め、販売者は製品在庫負担を軽減することができるものである。
(57)【要約】【課題】これまでの営業広告の配布方法では、配布枚数の曖昧さ、廃棄率の高さに問題があった。これは配布人材の職務怠慢と消費者が広告をその時、保存する意味がないと判断したためと考えられる。徹底した配布、保管期間をいかに長くするかが課題である。【解決手段】広告に抽選番号をナンバリングすることにより配布人材の不正防止、消費者の当選期日までの長期保管になるため廃棄期間の延長につながる。【特許請求の範囲】
【請求項１】
営業広告にナンバリングをつけ抽選番号・当選番号の発表までの形態。
【発明の詳細な説明】
【技術分野】
【０００１】  本発明は、営業促進のための効率化を図った広告に関する。
【背景技術】
【０００２】    従来、営業の販促物として広告が最も安易に集客があるものと考えられている。【０００３】    広告の配布には主に新聞折り込み方式とポスティング方式がよく使われている。【０００４】    広告をより多くの消費者に見てもらい、検討する時間を与えたい。
【発明の概要】
【発明が解決しようとする課題】
【０００５】    いかに多くの消費者に広告を見てもらい、興味関心を持ってもらうためには配布地域に完全に配布しなくてはならない。という事が大前提である。【０００６】    従来のポスティング方式で完全に配布できないのは配布する人材の職務怠慢があり、それを管理することが困難だったため本発明によりその防止を目的とするものでもある。
【課題を解決するための手段】
【０００７】    本発明は、上記の課題を解決するために、広告にナンバリングをし、抽選番号とするものである。
【発明の効果】
【０００８】      本発明により配布率の増大、また、抽選券付きの広告ということにより消費者は当選期日まで保管するため、廃棄するまでのビジネスチャンスを逃さない確率が上がる。